(57)【特許請求の範囲】
【請求項１】
コンクリートスラブによって上階と下階とに仕切られた集合住宅の上階に設けられた複数本の排水横枝管、及び排水立て管を下階の排水立て管に接続する集合管継手であって、
縦向きに設置される筒状の胴部と、
横並び状態で同一方向を指向して形成されており、同じく横並び状態で平行に配管された前記複数本の排水横枝管がそれぞれ接続される複数の横枝管受け口と、
前記胴部と、各々の前記横枝管受け口とを連通させる複数本の受け口管と、
前記胴部の上端に形成されており、上階の排水立て管が接続される上部受け口と、
前記胴部の下端に形成されており、下階の排水立て管が接続される下部接続部とを有しており、
前記横枝管受け口の径寸法は、前記上部受け口の径寸法に等しい値、あるいは、前記上部受け口の径寸法の約60％以上の値に設定されており、
前記横枝管受け口の一本は、前記胴部の中心線に対して直交する直線を中心線とする直管状に形成されており、
前記受け口管は、前記胴部の中心線に対して直交し、かつ直管状の前記横枝管受け口の中心線に対して直角な第１の直線と、直管状の横枝管受け口の中心線と平行な第２の直線と、その第１、第２の直線を結ぶ円弧線とを中心線とするエルボー状に形成されており、
さらに、前記受け口管は、取り外し可能な状態で前記胴部に接続されて、前記第１の直線回りに回転し、その受け口管と連通する横枝管受け口の向きを変えられるように構成されており、
さらに、前記受け口管と連通する前記横枝管受け口の外側面には、前記コンクリートスラブの上面に対する前記受け口管のレベル調整を行なうためのネジ式ジャッキ機構が設けられていることを特徴とする集合管継手。
【請求項２】
請求項１に記載された集合管継手であって、
隣り合う前記排水横枝管の軸方向同位置に設けられた各々のフランジ間に、それらフランジのボルト締め作業に必要な隙間が形成されるように、隣り合う前記横枝管受け口の中心間の距離が設定されていることを特徴とする集合管継手。
【請求項３】
請求項１又は請求項２のいずれかに記載された集合管継手であって、
前記胴部には、一対のエルボー状の受け口管が左右対称に接続されており、それらエルボー状の受け口管の中央に直管状の横枝管受け口が配置されていることを特徴とする集合管継手。
【請求項４】
請求項１から請求項３のいずれかに記載された集合管継手であって、
前記各々の横枝管受け口の先端面は、中心線となる第１の直線から等距離位置に位置決めされていることを特徴とする集合管継手。
【請求項５】
請求項１から請求項４のいずれかに記載された集合管継手であって、
隣り合う前記横枝管受け口の中心間の距離は、180mm〜250mmに設定されていることを特徴とする集合管継手。
【発明の詳細な説明】
【技術分野】
【０００１】
本発明は、上階に設けられた複数本の排水横枝管、及び排水立て管を下階の排水立て管に接続する集合管継手に関する。
【背景技術】
【０００２】
上記した集合管継手としては種々のものが提案されている。
例えば、特許文献１に記載の集合管継手１００は、図５の平面図に示すように、縦向きに設置される筒状の胴部１０２を備えており、その胴部１０２の側面に複数本の受け口管１０４が接線方向から接続されている。そして、各々の受け口管１０４の先端に、排水横枝管１０６が接続される横枝管受け部１０４ｕが同一方向を指向した状態で横並び状に形成されている。これにより、複数本の排水横枝管１０６をほぼ等しい高さ位置で平行に配管した状態で集合管継手１００に接続できるようになり、狭いスペースにおいても各々の排水横枝管１０６と集合管継手１００との接続作業が容易になる。
【０００３】
【特許文献１】実用新案出願２０００−３２１７
【発明の開示】
【発明が解決しようとする課題】
【０００４】
しかし、上記した集合管継手１００では、集合管継手１００の胴部１０２に対して複数本（四本）の受け口管１０４を接線方向から接続する構成のため、前記受け口管１０４の径寸法をさほど大きくすることはできない。即ち、上記した集合管継手１００では、受け口管１０４の径寸法を胴部１０２における上部受け口１０２ｕの径寸法の約半分程度に設定しているが、これ以上大きくすると、各々の受け口管１０４から流入する排水が互いに干渉して排水性能が低下する。
さらに、胴部１０２に対して複数本の受け口管１０４を接線方向から接続する構成では、鋳造等が難しく、製造コストが高くなるという問題がある。
【０００５】
本発明は、上記問題点を解決するためになされたものであり、本発明が解決しようとする課題は、各々の横枝管受け口の径寸法が上部受け口の径寸法に近い値でも集合管継手の排水性能が低下しないようにするとともに、集合管継手の製造コストを低く抑えることを目的とする。
【課題を解決するための手段】
【０００６】
上記した課題は、各請求項の発明によって解決される。
請求項１の発明は、コンクリートスラブによって上階と下階とに仕切られた集合住宅の上階に設けられた複数本の排水横枝管、及び排水立て管を下階の排水立て管に接続する集合管継手であって、縦向きに設置される筒状の胴部と、横並び状態で同一方向を指向して形成されており、同じく横並び状態で平行に配管された前記複数本の排水横枝管がそれぞれ接続される複数の横枝管受け口と、前記胴部と、各々の前記横枝管受け口とを連通させる複数本の受け口管と、前記胴部の上端に形成されており、上階の排水立て管が接続される上部受け口と、前記胴部の下端に形成されており、下階の排水立て管が接続される下部接続部とを有しており、前記横枝管受け口の径寸法は、前記上部受け口の径寸法に等しい値、あるいは、前記上部受け口の径寸法の約60％以上の値に設定されており、前記横枝管受け口の一本は、前記胴部の中心線に対して直交する直線を中心線とする直管状に形成されており、前記受け口管は、前記胴部の中心線に対して直交し、かつ直管状の前記横枝管受け口の中心線に対して直角な第１の直線と、直管状の横枝管受け口の中心線と平行な第２の直線と、その第１、第２の直線を結ぶ円弧線とを中心線とするエルボー状に形成されており、さらに、前記受け口管は、取り外し可能な状態で前記胴部に接続されて、前記第１の直線回りに回転し、その受け口管と連通する横枝管受け口の向きを変えられるように構成されており、さらに、前記受け口管と連通する前記横枝管受け口の外側面には、前記コンクリートスラブの上面に対する前記受け口管のレベル調整を行なうためのネジ式ジャッキ機構が設けられていることを特徴とする。
【０００７】
本発明によると、受け口管の一本は、胴部の中心線に対して直交する直線を中心線とする直管状に形成されている。また、他の受け口管は、胴部の中心線に対して直交し、かつ直管状の受け口管の中心線に対して直角な第１の直線と、直管状の受け口管の中心線と平行な第２の直線と、その第１、第２の直線を結ぶ円弧線とを中心線とするエルボー状に形成されている。このため、胴部の側面に対する直管状の受け口管の接続部とエルボー状の受け口管の接続部とは円周方向に90°ずれており、さらに両受け口管の接続部は胴部の中心を指向している。したがって、直管状の受け口管から流れ込む排水もエルボー状の受け口管から流れ込む排水も胴部の中心に向かって流れるようになる。このため、直管状の受け口管、及びエルボー状の受け口管の先端に設けられた横枝管受け口のサイズを上部受け口のサイズの約60％以上の値に設定しても、各々の横枝管受け口から受け口管を介して胴部内に流入する排水が互いに干渉することはほとんどない。したがって、各々の横枝管受け口の径寸法が上部受け口の径寸法に近い値でも、集合管継手の排水性能が低下することはない。
また、直管状の受け口管、及びエルボー状の受け口管を胴部に対して直角に接続する構成のため、集合管継手の形状が複雑化せず、集合管継手の製造コストを低く抑えることができる。
【０００８】
請求項２の発明によると、隣り合う排水横枝管の軸方向同位置に設けられた各々のフランジ間に、それらフランジのボルト締め作業に必要な隙間が形成されるように、隣り合う横枝管受け口の中心間の距離が設定されていることを特徴とする。
このため、隣り合う排水横枝管の軸方向同位置にフランジが横並び状に設けられた場合であっても、前記フランジのボルト締め作業を確実に実施することができる。
請求項３の発明によると、胴部には、一対のエルボー状の受け口管が左右対称に接続されており、それらエルボー状の受け口管の中央に直管状の横枝管受け口が配置されていることを特徴とする。
このため、集合管継手の形状がシンプルであり、製造コストを低く抑えることができる。
【０００９】
請求項４の発明によると、前記各々の横枝管受け口の先端面は、中心線となる第１の直線方向から等距離位置に位置決めされていることを特徴とする。
請求項５の発明によると、隣り合う前記横枝管受け口の中心間の距離は、180mm〜250mmに設定されていることを特徴とする。
【発明の効果】
【００１０】
本発明によると、直管状の受け口管から流れ込む排水とエルボー状の受け口管から流れ込む排水互いに干渉することはほとんどないため、各々の横枝管受け口の径寸法が上部受け口の径寸法に近い値でも、集合管継手の排水性能が低下することはない。また、集合管継手の形状が複雑化しないため、製造コストを低く抑えることができる。
【発明を実施するための最良の形態】
【００１１】
［実施形態１］
以下、図１から図４に基づいて本発明の実施形態１に係る集合管継手の説明を行なう。
本実施形態の集合管継手は、高層ビル、又は高層集合住宅の排水設備に使用される集合管継手であり、図１にその集合管継手の取付け平面図等が示されている。図２は集合管継手の平面図、及び側面図であり、図３、図４は、集合管継手の変更例を表す平面図等である。
ＳＩ住宅等、近年の集合住宅では、上階Ａと下階Ｂとを仕切るコンクリートスラブＣＳの上が、図１（Ａ）に示すように、防火区画Ｃｆによって住戸側Ｐｒと廊下側Ｃｙとに仕切られており、廊下側Ｃｙに集合管継手１０、及び排水立て管２等が設置される共用スペースＣｍが設けられている。共用スペースＣｍの床部（コンクリートスラブＣＳ）には、図２（Ｂ）に示すように、所定位置に貫通孔Ｃｈが形成されており、その貫通孔Ｃｈに集合管継手１０の胴部１１が縦向きに通されるようになっている。
【００１２】
＜集合管継手１０について＞
本実施形態に係る集合管継手１０は、上階Ａの排水立て管２、及び汚水用、雑排水用の第１〜第３排水横枝管３，４，５を下階Ｂの排水立て管２に接続する管継手であり、前述のように、コンクリートスラブＣＳの貫通孔Ｃｈに通される円筒状の胴部１１を備えている。
集合管継手１０の胴部１１は、図２（Ｂ）に示すように、上下分割式であり、上胴体１１ａと下胴体１１ｂとから構成されている。そして、上胴体１１ａの下部フランジ４１と下胴体１１ｂの上部フランジ４２とがパッキン（図示省略）を介して水密な状態で同軸に接続されている。
胴部１１の上胴体１１ａの上端部には、前記上階Ａの排水立て管２の下端部が挿入接続される上部受け口２２が形成されている。上部受け口２２の内側には、排水立て管２の下端部と上部受け口２２間を水密な状態でシールする略筒状のシール材（図示省略）が嵌め込まれている。ここで、上部受け口２２は呼び径が4インチ（基準寸法105mm）の排水立て管２が挿入接続可能に構成されている。また、上胴体１１ａの外周面には上下方向に延びる制振リブ１１ｒが形成されている。
【００１３】
胴部１１の下胴体１１ｂの上側面には、上部フランジ４２の下側に中央横枝管受け口２４が形成されている。中央横枝管受け口２４は、図２（Ａ）に示すように、胴部１１の中心線（軸線）Ｔｃに対して直交する直線Ｔｘを中心線とする直管状に形成されており、呼び径が3インチ（基準寸法81mm）の第２排水横枝管４が挿入接続可能に構成されている。即ち、中央横枝管受け口２４が本発明の直管状の受け口管とその受け口管に設けられた横枝管受け口とに相当する。なお、中央横枝管受け口２４の内側にも上部受け口２２と同様に前記シール材が嵌め込まれている。
また、胴部１１の下胴体１１ｂの上側面には、中央横枝管受け口２４から胴部１１の軸心回りに略90°左方向に回転した位置に左受け口２５が形成されており、同じく中央横枝管受け口２４から胴部１１の軸心回りに略90°右方向に回転した位置に右受け口２６が形成されている。左右の受け口２５，２６は、胴部１１の中心線（軸線）Ｔｃに対して直交する直線Ｔｙを中心線とする直管状に形成されており、呼び径が3インチ（基準寸法81mm）のエルボー状の受け口管２８，２９が挿入接続可能に構成されている。なお、左右の受け口２５，２６の内側にも上部受け口２２と同様に前記シール材が嵌め込まれている。
【００１４】
エルボー状の左受け口管２８は、左受け口２５の中心線Ｔｙ（中央横枝管受け口２４の中心線Ｔｘに対して直角な直線（第１の直線））を中心線とする挿し口２８ｓと、中央横枝管受け口２４の中心線Ｔｘと平行な第２の直線Ｔｚを中心線とする横枝管受け口２８ｕと、その第１、第２の直線Ｔｙ，Ｔｚを結ぶ円弧線Ｔｒとを中心線とする円弧状の曲がり管２８ｗとから構成されている。そして、左受け口管２８の挿し口２８ｓが下胴体１１ｂの左受け口２５に挿入接続された状態で、その左受け口管２８の横枝管受け口２８ｕが下胴体１１ｂの中央横枝管受け口２４と横並び状態で同方向を指向するようになる。ここで、左受け口管２８の横枝管受け口２８ｕの外側面には、図２（Ｂ）に示すように、コンクリートスラブＣＳの上面に対する左受け口管２８のレベル調整を行なうためのネジ式ジャッキ機構２８ｍが設けられている。これによって、左受け口管２８の横枝管受け口２８ｕのレベルを中央横枝管受け口２４のレベルに合わせることが可能になる。
【００１５】
また、下胴体１１ｂの右受け口２６に接続されるエルボー状の右受け口管２９は、上記した左受け口管２８と左右対称形であり、かつ等しい構造で製作されている。ここで、左右の受け口管２８，２９の横枝管受け口２８ｕ，２９ｕは呼び径が3インチ（基準寸法81mm）の排水横枝管３，５が挿入接続可能に構成されており、それら横枝管受け口２８ｕ，２９ｕの内側にも上部受け口２２と同様に前記シール材が嵌め込まれている。即ち、胴部１１の下胴体１１ｂの上部には、図１（Ａ）に示すように、平行に配管される三本の排水横枝管３，４，５がそれぞれ接続される三個の横枝管受け口２８ｕ，２４，２９ｕが横並び状態で同一方向を指向して形成されている。ここで、左右の横枝管受け口２８ｕ，２９ｕの中心線Ｔｚと中央横枝管受け口２４の中心線Ｔｘとの間の距離は180ｍｍ〜250ｍｍに設定されている。また、各々の横枝管受け口２８ｕ，２４，２９ｕの先端面は、中心線となる第１の直線Ｔｙから等距離位置に位置決めされている。即ち、各々の横枝管受け口２８ｕ，２４，２９ｕの先端面は、第１の直線Ｔｙと平行な直線Ｔｗの位置に合わせられている。なお、横枝管受け口２８ｕ，２４，２９ｕの先端面が、施工誤差等により、例えば、20mm程度不揃いになっても差し支えない。
【００１６】
集合管継手１０の胴部１１の下胴体１１ｂには、中央横枝管受け口２４と中心を挟んで反対側の位置に蓋付掃除口２７が設けられている。
また、集合管継手１０の下胴体１１ｂは、図２（Ｂ）に示すように、左右の受け口２５，２６、及び中央横枝管受け口２４の下側が上胴体１１ａとほぼ等しい径寸法の大径部１１ｆとなっており、その大径部１１ｆの下側にテーパ部１１ｔを介して排水立て管２と等しい径寸法の下部直管１１ｘが形成されている。そして、その下部直管１１ｘの下端に下階Ｂの排水立て管２の上端部（直管）が挿入可能なフランジ付き受け口４３が形成されている。さらに、集合管継手１０の下胴体１１ｂの内壁面には、大径部１１ｆからテーパ部１１ｔにかけて流下する排水を旋回させるための旋回ガイド４４が形成されている。
即ち、上記したフランジ付き受け口４３が本発明の下側接続部に相当する。
【００１７】
＜集合管継手１０を使用した排水設備の配管施工手順について＞
次に、図１（Ａ）（Ｂ）、図２（Ｂ）に基づいて、集合管継手１０を使用した排水設備の配管施工手順について説明する。
集合管継手１０の胴部１１が、図２（Ｂ）に示すように、コンクリートスラブＣＳの貫通孔Ｃｈに通されて、その胴部１１に設けられた左右の受け口２５，２６、及び中央横枝管受け口２４がコンクリートスラブＣＳの上面に支持されると、ネジ式ジャッキ機構２８ｍ，２９ｍによって左右の受け口管２８，２９の横枝管受け口２８ｕ，２９ｕのレベルが中央横枝管受け口２４のレベルに合わせられる。次に、図１（Ａ）に示すように、防火区画Ｃｆの配管用開口（図示省略）に第１〜第３排水横枝管３，４，５が通され、第１排水横枝管３が集合管継手１０の左側の横枝管受け口２８ｕに接続される。また、第２排水横枝管４が集合管継手１０の中央横枝管受け口２４、第３排水横枝管５が集合管継手１０の右側の横枝管受け口２９ｕに接続される。次に、第１排水横枝管３〜第３排水横枝管５の端部にソケット３ｓ，４ｓ，５ｓを介して住戸側の第１排水横枝管３ｐ〜第３排水横枝管５ｐが接続される。
【００１８】
ここで、集合管継手１０は耐火性等を考慮して鋳鉄製のものが使用される。また、防火区画Ｃｆを貫通する第１排水横枝管３〜第３排水横枝管５も耐火性等を考慮して鋳鉄管等が使用される。そして、防火区画Ｃｆから1m以上離れた位置に前記ソケット３ｓ，４ｓ，５ｓが設けられ、それらのソケット３ｓ，４ｓ，５ｓによって鋳鉄製の第１排水横枝管３〜第３排水横枝管５と、例えば、塩ビ製の第１排水横枝管３ｐ〜第３排水横枝管５ｐとが接続される。
前述のように、第１排水横枝管３〜第３排水横枝管５は呼び径が3インチ（基準寸法81mm）であるため、それらの排水横枝管３，４，５が接続されるソケット３ｓ，４ｓ，５ｓのフランジ部分の最大外径寸法は約150ｍｍとなる。ここで、前述のように、左右の横枝管受け口２８ｕ，２９ｕの中心線Ｔｚと中央横枝管受け口２４の中心線Ｔｘとの間の距離は180ｍｍ〜250ｍｍに設定されている。このため、隣り合うソケット３ｓ，４ｓ，５ｓのフランジ間には約30ｍｍ〜100mmの空間が形成される（図１（Ｂ）参照）。このため、ラチェットレンチＸ等の工具を使用して、ソケット３ｓ，４ｓ，５ｓのフランジのボルト締め作業を確実に実施することができる。
【００１９】
＜本実施形態に係る集合管継手１０の長所＞
本実施形態に係る集合管継手１０によると、中央横枝管受け口２４は、胴部１１の中心線Ｔｃに対して直交する直線Ｔｘを中心線とする直管状に形成されている。また、左右の受け口管２８，２９は、胴部１１の中心線Ｔｃに対して直交し、かつ中央横枝管受け口２４の中心線Ｔｘに対して直角な第１の直線Ｔｙと、中央横枝管受け口２４の中心線Ｔｘと平行な第２の直線Ｔｚと、その第１、第２の直線Ｔｙ，Ｔｚを結ぶ円弧線Ｔｒとを中心線とするエルボー状に形成されている。このため、胴部１１の側面に対する中央横枝管受け口２４とエルボー状の受け口管２８，２９の接続部とは円周方向に90°ずれており、さらに中央横枝管受け口２４とエルボー状の受け口管２８，２９とは胴部の中心を指向している。したがって、中央横枝管受け口２４から流れ込む排水もエルボー状の受け口管２８，２９から流れ込む排水も胴部１１の中心に向かって流れるようになる。このため、中央横枝管受け口２４、及びエルボー状の受け口管２８，２９の先端に設けられた横枝管受け口２８ｕ，２９ｕのサイズを上部受け口２２のサイズの約60％以上の値に設定しても、各々の横枝管受け口２４，２８ｕ，２９ｕから胴部１１内に流入する排水が互いに干渉することはほとんどない。したがって、各々の横枝管受け口２４，２８ｕ，２９ｕの径寸法が上部受け口２２の径寸法に近い値でも、集合管継手１０の排水性能が低下することはない。
また、中央横枝管受け口２４、及びエルボー状の受け口管２８，２９を胴部１１に対して直角に接続する構成のため、集合管継手１０の形状が複雑化せず、集合管継手１０の製造コストを低く抑えることができる。
さらに、隣り合う排水横枝管３，４，５の軸方向同位置に設けられた各々のフランジ間に、それらフランジのボルト締め作業に必要な隙間が形成されるように、隣り合う横枝管受け口２４，２８ｕ，２９ｕの中心間の距離が設定されている。このため、隣り合う排水横枝管３，４，５の軸方向同位置にフランジが横並び状に設けられた場合であっても、前記フランジのボルト締め作業を確実に実施することができる。
【００２０】
＜変更例＞
本実施形態では、図２等に示すように、上下分割式の胴部１１を備える集合管継手１０について説明したが、図３（Ａ）（Ｂ）に示すように、上下一体型の胴部１１を備える集合管継手５０に本発明を適用することも可能である。また、蓋付掃除口２７を備える集合管継手５０を例示したが、蓋付掃除口２７を有しない集合管継手に本発明を適用することも可能である。
また、本実施形態では、胴部１１の下端部にフランジ付き受け口４３を備える集合管継手１０，５０を例示したが、フランジ付き受け口４３の代わりに直管部を設け、その直管部が下階Ｂの排水立て管２の受け口に挿入される構成でも可能である。
また、本実施形態では、胴部１１がコンクリートスラブＣＳの貫通孔Ｃｈに挿入されるタイプの集合管継手１０，５０を例示したが、コンクリートスラブＣＳの上面で下階Ｂの排水立て管２の受け口に接続される形式の集合管継手に本発明を適用することも可能である。
また、本実施形態では、三方の横枝管受け口２４，２８ｕ，２９ｕのサイズを全て等く設定した集合管継手１０，５０を例示したが、図４（Ａ）に示すように、中央横枝管受け口２４を両側よりも大径化して上部受け口２２とほぼ等しいサイズに設定することも可能である。
さらに、本実施形態では、エルボー状の受け口管２８，２９を左右両側に設けた集合管継手１０，５０を例示したが、図４（Ｂ）に示すようにエルボー状の受け口管２９を片側にのみ設けた集合管継手６０も可能である。
また、本実施形態では、集合管継手１０，５０の胴部１１からエルボー状の受け口管２８，２９を取外し可能な構成を例示したが、胴部１１とエルボー状の受け口管２８，２９とを一体化することも可能である。
また、エルボー状の受け口管２８、２９は、中心線となる第１の直線Ｔｙ回りに回転可能に構成されているため、横枝管受け口２８ｕ，２９ｕの向きを変えることも可能である。
【図面の簡単な説明】
【００２１】
【図１】本発明の実施形態１に係る集合管継手の取付け平面図（Ａ図）、及びＡ図のＢ−Ｂ矢視図（Ｂ図）である。
【図２】集合管継手の平面図（Ａ図）、及び取付け側面図（Ｂ図）である。
【図３】変更例に係る集合管継手の平面図（Ａ図）、及び取付け側面図（Ｂ図）である。
【図４】変更例に係る集合管継手の平面図（Ａ図、Ｂ図）である。
【図５】従来の集合管継手の取付け平面図である。
【符号の説明】
【００２２】
２        排水立て管
３        第１排水横枝管
４        第２排水横枝管
５        第３排水横枝管
１１      胴部
２４      中央横枝管受け口
２８      左受け口管
２８ｕ    横枝管受け口
２９      右受け口管
２９ｕ    横枝管受け口
Ｔｃ      胴部の中心線（軸線）
Ｔｘ      中央横枝管受け口の中心線
Ｔｙ      第１の直線（中央横枝管受け口の中心線に対して直角な直線）
Ｔｚ      第２の直線（中央横枝管受け口の中心線に対して平行な直線）
Ｔｒ      円弧線
【図１】
0004668081.tif 000002
【図２】
0004668081.tif 000003
【図３】
0004668081.tif 000004
【図４】
0004668081.tif 000005
【図５】
0004668081.tif 000006